【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
媒体を支持する曲面を具備し、前記曲面に支持した媒体を前記曲面に沿って搬送する搬送部材を備えた搬送部と、
前記搬送部を用いて搬送される前記媒体にインクを吐出させる吐出ヘッドと、
前記媒体の画像が形成される面である画像形成面を基準とする前記媒体の搬送速度に応じた吐出周期信号を用いて、前記吐出ヘッドの吐出タイミングを制御する吐出制御部と、
前記曲面の半径の情報を取得する半径情報取得部と、
前記媒体の厚みの情報を取得する厚み情報取得部と、
前記曲面の半径の情報、及び前記媒体の厚みの情報を用いて導出される変倍係数を用いて、前記媒体に形成される画像の画像データについて、前記媒体の搬送方向におけるサイズを変倍させる変倍処理部と、
を備え、
前記吐出制御部は、前記変倍処理部を用いて変倍処理が施された前記画像データに基づいて、前記吐出ヘッドのインク吐出を制御するインクジェット印刷機。
【請求項２】
前記変倍処理部は、前記曲面の半径をＲとし、前記媒体の厚みをＲＰとし、前記変倍係数をＡとした場合に、次式、
（Ｒ＋ＲＰ）／（Ｒ＋ＲＰ／２）≦Ａ≦（Ｒ＋ＲＰ）／Ｒ
を用いて表される変倍係数Ａを用いて変倍処理を行う請求項１に記載のインクジェット印刷機。
【請求項３】
前記吐出制御部は、前記曲面の半径の情報、及び前記媒体の厚みの情報を用いて、前記画像形成面を基準とする前記媒体の搬送速度に応じた吐出周期信号を生成する請求項１又は２に記載のインクジェット印刷機。
【請求項４】
前記搬送部は、前記搬送部材として、円筒形状を有し、周面に前記媒体を支持して搬送する搬送ドラムを備えた請求項１から３のいずれか一項に記載のインクジェット印刷機。
【請求項５】
前記搬送ドラムの回転に応じたパルス信号を出力するエンコーダを備え、
前記吐出制御部は、前記曲面の半径をＲとし、前記エンコーダの一回転あたりのパルス数をＰとし、一インチあたりのドット数を用いて表される印刷解像度をｍとして、次式、
ｋ＝（２×π×Ｒ×ｍ）／（２５４００×Ｐ）
と表され、前記パルス信号の一パルスに相当するドット数を表す相関係数ｋ、前記曲面の半径Ｒ、及び前記媒体の厚みＲＰを用いて、次式、
Ｂ＝ｋ×（Ｒ＋ＲＰ）／Ｒ
と表される逓倍係数Ｂを適用して、前記パルス信号に逓倍処理を施して前記吐出周期信号を生成する請求項４に記載のインクジェット印刷機。
【請求項６】
前記搬送ドラムの回転に応じたパルス信号を出力するエンコーダを備え、
前記パルス信号のパルス数の計測に適用されるクロック信号の周波数をＬとし、前記エンコーダの一回転の所要期間をｓとし、前記エンコーダの一回転あたりのパルス数をＰとして、次式、
Ｉ＝（ｓ／Ｐ）×Ｌ
と表され、前記パルス信号の一パルスに相当する期間を表す相関係数Ｉ、前記クロック信号の数を用いて前記エンコーダの出力信号の周期を計測した際のクロック信号のパルス数ｎ、及び一インチあたりのドット数を用いて表される印刷解像度ｍを用いて、次式、
ｎ×（０．０２５４／ｍ）×｛２×π×（Ｒ＋ＲＰ）｝／（Ｐ×Ｉ）
と表される周期を有する吐出同期信号を生成する請求項４に記載のインクジェット印刷機。
【請求項７】
前記変倍処理部は、前記曲面から前記媒体の厚みの中央位置までのいずれかの位置を、前記媒体の搬送速度の基準とするかを設定し、設定された前記基準に基づいて前記変倍係数を導出する請求項１から６のいずれか一項に記載のインクジェット印刷機。
【請求項８】
前記変倍処理部は、画像品質に基づいて前記基準を設定する請求項７に記載のインクジェット印刷機。
【請求項９】
前記吐出ヘッドは、複数のノズルを備え、前記複数のノズルがマトリクス配置された構造を有する請求項１から８のいずれか一項に記載のインクジェット印刷機。
【請求項１０】
前記曲面に支持した媒体を前記曲面に沿って搬送し、前記媒体の画像が形成される面である画像形成面を基準とする前記媒体の搬送速度に応じた吐出周期信号を用いて吐出ヘッドの吐出タイミングを制御して、前記搬送される前記媒体にインクを吐出させて印刷を行う印刷方法であって、
前記曲面の半径の情報を取得する半径情報取得工程と、
前記媒体の厚みの情報を取得する厚み情報取得工程と、
前記曲面の半径の情報、及び前記媒体の厚みの情報を用いて導出される変倍係数を用いて、前記媒体に形成される画像の画像データについて、前記媒体の搬送方向におけるサイズを変倍させる変倍処理工程と、
前記変倍処理工程において変倍処理が施された前記画像データに基づいて、前記吐出ヘッドからインクを吐出させる吐出工程と、
を含む印刷方法。
【請求項１１】
曲面に支持され、前記曲面に沿って搬送される媒体にインクを吐出させる吐出ヘッドの駆動装置であって、
前記媒体の画像が形成される面である画像形成面を基準とする前記媒体の搬送速度に応じた吐出周期信号を用いて、前記吐出ヘッドの吐出タイミングを制御する吐出制御部と、
前記曲面の半径の情報を取得する半径情報取得部と、
前記媒体の厚みの情報を取得する厚み情報取得部と、
前記曲面の半径の情報、及び前記媒体の厚みの情報を用いて導出される変倍係数を用いて、前記媒体に形成される画像の画像データについて、前記媒体の搬送方向におけるサイズを変倍させる変倍処理部と、
を備え、
前記吐出制御部は、前記変倍処理部を用いて変倍処理が施された画像データに基づいて、前記吐出ヘッドのインク吐出を制御する吐出ヘッド駆動装置。
【手続補正２】
【補正対象書類名】明細書
【補正対象項目名】０００２
【補正方法】変更
【補正の内容】
【０００２】
搬送ドラムの周面に媒体を巻きつけて搬送し、媒体に印刷を行うインクジェット方式の印刷機が知られている。搬送ドラムを用いて媒体を搬送する場合、媒体の画像形成面を基準とした媒体搬送速度に応じた吐出周波数を有する吐出同期信号を用いてインク吐出を行う必要がある。これは、搬送ドラムの周面を基準とした媒体搬送速度に応じた吐出周波数を有する吐出同期信号を用いた場合、媒体搬送速度と吐出周波数との不整合に起因して、媒体搬送方向について正しい着弾位置からドットがずれてしまい、画像品質の低下が生じることに起因する。
【手続補正３】
【補正対象書類名】明細書
【補正対象項目名】００２１
【補正方法】変更
【補正の内容】
【００２１】
第２態様は、第１態様のインクジェット印刷機において、変倍処理部は、曲面の半径をＲとし、媒体の厚みをＲＰとし、変倍係数をＡとした場合に、次式、（Ｒ＋ＲＰ）／（Ｒ＋ＲＰ／２）≦Ａ≦（Ｒ＋ＲＰ）／Ｒを用いて表される変倍係数Ａを用いて変倍処理を行う構成としてもよい。
【手続補正４】
【補正対象書類名】明細書
【補正対象項目名】００３７
【補正方法】変更
【補正の内容】
【００３７】
第１０態様に係る印刷方法は、曲面に支持した媒体を曲面に沿って搬送し、媒体の画像が形成される面である画像形成面を基準とする媒体の搬送速度に応じた吐出周期信号を用いて吐出ヘッドの吐出タイミングを制御して、搬送される媒体にインクを吐出させて印刷を行う印刷方法であって、曲面の半径の情報を取得する半径情報取得工程と、媒体の厚みの情報を取得する厚み情報取得工程と、曲面の半径の情報、及び媒体の厚みの情報を用いて導出される変倍係数を用いて、媒体に形成される画像の画像データについて、媒体の搬送方向におけるサイズを変倍させる変倍処理工程と、変倍処理工程において変倍処理が施された画像データに基づいて、吐出ヘッドからインクを吐出させる吐出工程と、を含む印刷方法である。
【手続補正５】
【補正対象書類名】明細書
【補正対象項目名】０１３９
【補正方法】変更
【補正の内容】
【０１３９】
ドット３２２間の用紙搬送方向における位置ずれ量ｄＹ１は、ｄＹ１＝２×Ｔ×（｜Ｖ｜−｜ＶＳ｜）、又はドット毎インチで表される印字解像度をｍとして、ｄＹ１＝２×（０．０２５４／ｍ）−（｜ＶＳ｜×Ｔ）と表される。
【手続補正６】
【補正対象書類名】図面
【補正対象項目名】図９
【補正方法】変更
【補正の内容】
【図９】
2019202493.tif 000001